(57)【要約】【課題】  シート体を所定の切断位置に正確に搬送して切断する動作を行うカッタ装置を提供する。【解決手段】  パルスモータ７５で回転駆動される搬送ローラ７６でシート体６６が搬送される際に、マーキングセンサ８０がシート体６６Ａに設けられた搬送方向上流側の位置基準のマーキング６４を検出してから所定間隔Ｌを開けて設けられた下流側の位置基準のマーキング６４を検出するまでの間に、パルス検出手段がパルスモータ７５の送りパルス数Ｐを検出し、制御部７７が所定間隔Ｌを送りパルス数Ｐで除算して搬送分解能を算出し、その値に基づいてパルスモータ７５を駆動制御するときの送り量を適正量に修正し、シート体６６を各切断位置まで正確に搬送するよう制御する。【選択図】  図２
2005103699.tif 000002
【特許請求の範囲】
【請求項１】
パルスモータで回転駆動される搬送ローラにより、シート体を所定の切断位置に搬送する搬送路と、
前記搬送路を前記シート体が搬送される際に、前記シート体における搬送方向上流側と下流側との各位置に所定間隔Ｌを開けて設けられた位置基準のマーキングを検出するマーキングセンサと、
前記マーキングセンサが搬送方向上流側の前記位置基準のマーキングを検出してから搬送方向下流側の前記位置基準のマーキングを検出するまでの間における前記パルスモータの送りパルス数Ｐを検出するパルス検出手段と、
前記所定間隔Ｌを、前記パルス検出手段で検出した前記送りパルス数Ｐで除算して、搬送分解能（Ｌ／Ｐ）を算出し、その値に基づいて前記パルスモータを駆動制御するときの送り量を適正量に修正し、前記シート体を各切断位置まで正確に搬送するよう制御する制御部と、
を有することを特徴とするカッタ装置。
【請求項２】
前記搬送ローラ部分の温度を検出する温度センサを設け、前記パルス検出手段で前記送りパルス数Ｐを検出した際に温度センサで検出した温度と、前記パルス検出手段で検出した前記送りパルス数Ｐから前記制御部によって算出された搬送分解能とを、対応させて記憶するデータ記憶手段を設けたことを特徴とする請求項１に記載のカッタ装置。
【請求項３】
前記制御部が動作をスタートする際に、前記温度センサで温度を検出し、この検出された温度と、前記データ記憶手段に記憶されている直近に搬送分解能を検出したときの温度とを比較して、これらの温度差が所定量以上のときには、送り量修正作業の開始を促す警告を出すように制御することを特徴とする請求項２に記載のカッタ装置。
【請求項４】
前記パルス検出手段で検出した前記送りパルス数Ｐが、適正範囲として設定された範囲を逸脱すると前記制御部が判断した場合に、前記制御部がエラー処理として送り量修正作業の動作を停止させるように制御することを特徴とする請求項１乃至請求項３の何れかに記載のカッタ装置。
【発明の詳細な説明】
【技術分野】
【０００１】
この発明は、環境により変化する送り量のばらつきを修正するよう制御されたパルスモータで回転駆動される搬送ローラにより、シート体を所定の切断位置に正確に搬送してから切断する動作を行うカッタ装置に関する。
【背景技術】
【０００２】
一般に、カッタ装置を備えたレーザー露光熱現像転写方式（銀塩写真方式）の画像形成装置が用いられている。このような画像形成装置は、図９に例示するような処理工程により出力プリントを得ている。まず、その露光処理工程では、画像データの入力信号を画像処理して得た画像処理信号を半導体ユニット５０２へ送る。
【０００３】
この半導体ユニット５０２では、ロール状に巻装されたドナーロール５０４から所定長さ引き出されてカッタ５００で切断されたドナー片５０６の露光面上に、レーザー（ＬＤ）光源を用いて３色同時露光処理を行う。この露光処理によりドナー片５０６中のハロゲン化銀が光に反応し、潜像が形成され、次の水塗布工程へ送られる。
【０００４】
この水塗布工程では、液体塗布装置５０８により水を所定少量かつ均一に、ドナー片５０６の面上へ塗布し、次の熱現像及び色像転写工程へと送る。
【０００５】
この熱現像、及び色像転写工程では、受像紙ロール５１０から所定長さ引き出されカッタ５００で切断されて用意されたシート体である受像紙片５１２（ＯＨＰフィルム等でも良い）に、水を塗布したドナー片５０６を重ねて貼り合わせ、この状態で加熱装置５１４で加熱する。これにより、ドナー片５０６側で現像が進行するとともに、ドナー片５０６の色素は受像紙片５１２へ移り、定着されて、ドナー片５０６の画像が受像紙片５１２へ転写される。この転写作業が完了した後、貼り合わされたドナー片５０６と、受像紙片５１２とは、剥離工程へ送られる。
【０００６】
この剥離工程では、使用済みドナー片５０６と、画像が転写された受像紙片５１２とが剥離され、ドナー片５０６は破棄され、受像紙片５１２は高画質なカラープリントとして完成され、送り出される。
【０００７】
このような画像形成装置では、通常の写真プリントに利用されている、比較的大きなサイズから比較的小さなサイズに渡る種々のサイズの写真プリントを出力可能にしたいという要求が強い。
【０００８】
そこで、従来のカッタ装置を備えた画像形成装置では、シート体の搬送路を構成するローラ搬送装置等を簡素に構成するため、比較的大きなサイズの一枚の用紙に比較的小さなサイズであるＬサイズ等の画像を複数形成して出力した後に、この比較的大きなサイズの一枚の用紙を各小さなＬサイズ等の画像部分に分割するようカッタ装置で切断して、比較的小さなＬサイズ等の写真プリントを同時に複数枚作るカッタ装置を備えたレーザー露光熱現像転写方式（銀塩写真方式）の画像形成装置が提案されている（例えば、特許文献１参照。）。
【０００９】
このようなレーザー露光熱現像転写方式（銀塩写真方式）の画像形成装置に備えられたカッタ装置では、カッタ装置によりシート体の所定切断位置でカットする動作を行うため、シート体としての複数の小サイズ画像が形成された比較的大きなサイズの一枚の用紙における搬送方向下流側の非画像部にカット位置基準のマーキングを露光形成しておく。
【００１０】
そして、このカッタ装置では、複数の画像が形成された比較的大きなサイズの一枚の用紙が搬送路上をパルスモータで回転駆動される搬送ローラにより搬送されて、カッタ装置の刃の近傍に配置された光反射センサでカット位置基準のマーキングが検出されると、この用紙を一定パルス送って所定切断位置に位置させてから第１の画像の先端を切断する動作を行い、さらに、この位置から用紙を一定パルス送ってから第１の画像の後端を切断する動作を行う。
【００１１】
また、このカッタ装置では、用紙を一定パルス送って所定切断位置に位置させてから第２の画像の先端を切断する動作を行い、さらに、この位置から用紙を一定パルス送って第２の画像の後端を切断する動作を行う。
【００１２】
すなわち、このカッタ装置では、パルスモータで回転駆動される搬送ローラにより用紙を一定パルス送って所定切断位置に位置させてから所要の画像の先端を切断する動作を行い、さらに、この位置から用紙を一定パルス送って所要の画像の後端を切断する動作を行うという動作を繰り返して全ての画像を切り出す動作を完了する。
【００１３】
なお、このようなレーザー露光熱現像転写方式（銀塩写真方式）の画像形成装置に備えられたカッタ装置では、この装置の組み立て製造時に、光反射センサ固体のばらつきや取り付け状態のばらつきに起因して用紙を所定切断位置に位置決めする際に生じる誤差や、パルスモータで回転駆動される搬送ローラで用紙を送る際の、パルスモータにおける一定パルス分の送り量に生じる誤差を、パルスモータを駆動制御するパルス量（送りパルス数Ｐ）を調整することによって修正している。
【００１４】
しかし、パルスモータで回転駆動される搬送ローラとしてゴム製のローラを使用した場合等では、周囲の温度変化といった環境の変化によりゴムローラが収縮又は膨張することに起因して、パルスモータで回転駆動される搬送ローラの搬送分解能が変動し、搬送される用紙を所定切断位置に位置決めする際に誤差を生じる場合がある。
【００１５】
そこで、従来のカッタ装置を備えたレーザー露光熱現像転写方式（銀塩写真方式）の画像形成装置では、比較的大きなサイズの一枚の用紙上に、カッタ装置で切り出される所定小画像サイズの範囲を大きくはみ出すように比較的小さな画像を形成する（いわゆる画像のケラレを大きくとって画像を形成する）ことにより、一枚の用紙をカットするカット位置に大きな誤差があっても適正とされるプリントが仕上がるようにしている。
【００１６】
このように、小画像のケラレを大きくとって画像を形成する場合には、所定小画像サイズの範囲よりも露光形成される画像の範囲が大幅に広くなるので、プリントとして仕上げられたときの画像は、露光された画像（オリジナルの画像）の周囲が大幅に削除されたものとなってしまい、画像データの一部が画像のケラレとして捨てられることにより、その利用率が低下してしまう。
【００１７】
また、比較的大きなサイズの一枚の用紙上に、複数の小画像を、それぞれケラレを大きくとって画像を形成する場合には、カッタ装置で切り落とされて屑となり捨てられる、いわゆる切り代部分が増加することになって、用紙の無駄が大きくなるという問題がある。
【特許文献１】特開２００３−２６７６１９号公報
【発明の開示】
【発明が解決しようとする課題】
【００１８】
本発明は、パルスモータで回転駆動される搬送ローラにより、シート体を所定の切断位置に正確に搬送してから切断する動作を行えるようにした、カッタ装置を新たに提供することを目的とする。
【課題を解決するための手段】
【００１９】
本発明の請求項１に記載のカッタ装置は、パルスモータで回転駆動される搬送ローラにより、シート体を所定の切断位置に搬送する搬送路と、搬送路をシート体が搬送される際に、シート体における搬送方向上流側と下流側との各位置に所定間隔Ｌを開けて設けられた位置基準のマーキングを検出するマーキングセンサと、マーキングセンサが搬送方向上流側の位置基準のマーキングを検出してから搬送方向下流側の位置基準のマーキングを検出するまでの間におけるパルスモータの送りパルス数Ｐを検出するパルス検出手段と、所定間隔Ｌを、パルス検出手段で検出した送りパルス数Ｐで除算して、搬送分解能（Ｌ／Ｐ）を算出し、その値に基づいてパルスモータを駆動制御するときの送り量を適正量に修正し、シート体を各切断位置まで正確に搬送するよう制御する制御部と、を有することを特徴とする。
【００２０】
上述のように構成することにより、制御部は、パルス検出手段によっても搬送方向上流側カット位置基準のマーキングを検出してから搬送方向下流側カット位置基準のマーキングを検出するまでの間に、パルスモータの送りパルス数Ｐを検出する。さらに制御部は、所定間隔Ｌを送りパルス数Ｐで除算（割り算）して搬送分解能（Ｌ／Ｐ）の値を算出する。そして、制御部は、環境の変化により変動した搬送分解能（Ｌ／Ｐ）の値を利用して、所定の搬送距離に対応するよう修正された送りパルス数Ｐだけパルスモータを駆動制御してシート体を切断位置まで正確に搬送し高い位置精度で切断することができる。
【００２１】
よって、このように構成したカッタ装置では、カット位置に搬送するときの誤差を考慮してシート体上に設定する切り代部分の大きさを縮めて小さく設定できるから、シート体上に形成される画像の周囲をカット位置から切り落とすことにより画像に生じる、いわゆる画像ケラレを小さくした画像レイアウトをとり、シート体の搬送方向の長さを短縮することができる。さらに、環境の変化により搬送分解能（Ｌ／Ｐ）が変動してもカット位置が正確になるよう修正することで屑として切り落とされる部分の搬送方向の幅を狭くしてシート体の材料の無駄を削減できる。
【００２２】
請求項２に記載の発明は、請求項１に記載のカッタ装置において、搬送ローラ部分の温度を検出する温度センサを設け、パルス検出手段で送りパルス数Ｐを検出した際に温度センサで検出した温度と、パルス検出手段で検出した送りパルス数Ｐから制御部によって算出された搬送分解能とを、対応させて記憶するデータ記憶手段を設けたことを特徴とする。
【００２３】
上述のように構成することにより、前述した請求項１に記載のカッタ装置の作用及び効果に加えて、データ記憶手段に記憶されたデータを読み出して有効利用を図り、制御部による制御動作に役立てることができる。
【００２４】
請求項３に記載の発明は、請求項２に記載のカッタ装置において、制御部が動作をスタートする際に、温度センサで温度を検出し、この検出された温度と、データ記憶手段に記憶されている直近に搬送分解能を検出したときの温度とを比較して、これらの温度差が所定量以上のときには、送り量修正作業の開始を促す警告を出すように制御することを特徴とする。
【００２５】
上述のように構成することにより、前述した請求項２に記載のカッタ装置の作用及び効果に加えて、温度変化等の環境の変化が所定量以上在った場合には、制御部により自動的に送り量修正作業の開始が促されるので、シート体を所定のカット位置まで正確に搬送するよう修正できるから、シート体をカット位置まで正確に搬送しカット精度を高めることへの信頼性を向上できる。
【００２６】
請求項４に記載の発明は、請求項１乃至請求項３の何れかに記載のカッタ装置において、パルス検出手段で検出した送りパルス数Ｐが、適正範囲として設定された範囲を逸脱すると制御部が判断した場合に、制御部がエラー処理として送り量修正作業の動作を停止させるように制御することを特徴とする。
【００２７】
上述のように構成することにより、前述した請求項１乃至請求項３の何れかに記載のカッタ装置の作用及び効果に加えて、この送り量修正作業に対するエラー処理の手段では、送り量修正作業の動作を停止させることにより、マーキングセンサによる所定間隔Ｌ（２つの位置基準のマーキング間隔）の計測ミス（センサトラブル）又はシート体の搬送系トラブルを事前に回避することができる。
【発明の効果】
【００２８】
本発明に係るカッタ装置では、シート体をパルスモータで回転駆動される搬送ローラにより切断位置まで搬送する際に環境の変化により生じる送り量の誤差を修正してシート体を所定の切断位置で正確に切断できるから、カッタ装置で切り落とされて屑となり捨てられる切り代部分を小さく設定したレイアウトにできるので、シート体の無駄を削減することができるという効果がある。さらに、このシート体上に画像を形成する場合には、小さく設定された切り代部分に渡って画像を露光形成すれば適正なプリントとして仕上げられるので、全画像データの内で画像のケラレとして捨てられる部分に対応した画像データの量を削減し、画像データを有効に利用できる（画素を無駄にしない）という効果がある。また、切断された画像シート体の長さが一定となる効果もある。
【発明を実施するための最良の形態】
【００２９】
以下、本発明の実施の形態に係る画像形成装置について、図１乃至図８を参照しながら説明する。
（画像形成装置の全体概略構成）
図１には、本実施の形態に係る、カッタ装置を備えたレーザー露光熱現像転写方式（銀塩写真方式）の画像形成装置に係わる要部の概略構成が示されている。
【００３０】
本実施の形態に係るカッタ装置は、画像形成装置本体（画像形成部）１０で作成した出力プリントを搬出する部分に、外付けで一体的に装着するカッターユニット（カッター部）として構成する。
【００３１】
この画像形成装置本体（画像形成部）１０では、画像形成の処理機能を有するもので露光処理と熱現像転写処理等を行って出力プリントを作成する動作を行う。
【００３２】
この画像形成装置本体（画像形成部）１０は、装置本体内部のローラ搬送装置で搬送可能な比較的大きなサイズの画像形成用のシート体であるドナー片又は受像紙片等を搬送して単一の画像を形成する処理をする。
【００３３】
これと共に、画像形成装置本体１０は、装置本体１０内部のローラ搬送装置で搬送不可能な比較的小さなサイズの画像を形成する場合に、装置本体１０内部のローラ搬送装置で搬送可能な比較的大きなサイズ以上の画像形成用のシート体であるドナー片又は受像紙片等に対して、複数の比較的小さなサイズの画像を形成し、これを装置本体１０の出力部から出力する際に、カッタ装置としてのカッターユニット（カッター部）で比較的小さなサイズの画像に対応して画像が形成されたシート体である受像紙片等を切断し、比較的小さなサイズの画像に見合った比較的小さなサイズのシート体である受像紙片等に仕上げる処理を行うよう構成する。
【００３４】
このため画像形成装置本体１０は、その画像が形成されたシート体の出力部に、カッターユニット（カッター部）６０を、図１に示す使用状態と図８に示す待機状態とに移動操作可能なように装着する。
【００３５】
この画像形成装置本体１０で比較的大きなサイズのプリントである例えばＡ３Ｗサイズ又はＡ３サイズの写真プリントを作成する場合には、各写真プリントの１枚毎に画像を形成する処理を実行する。このときには、カッターユニット（カッター部）６０を使用しないので、カッターユニット６０は、図８に示す待機状態にセットした状態で処理を実行する。
【００３６】
この画像形成装置本体１０で比較的大きなサイズのプリントである例えばＡ３ＷサイズとＡ３サイズとの写真プリントを作成する場合には、画像形成装置本体１０内部に、例えばＡ３ＷサイズとＡ３サイズとに対応した比較的大きなサイズの受像紙ロール１２（ＯＨＰフィルムのロール等でも良い）を格納した受像紙マガジン１４と、同じくＡ３ＷサイズとＡ３サイズとに対応した比較的大きなサイズのドナーロール１６を格納したドナーマガジン１８とをセットして利用する。
【００３７】
この画像形成装置本体１０で比較的大きなサイズのプリントである例えばＡ３ＷサイズとＡ３サイズとの写真プリントを作成する場合には、その露光処理工程を実行する準備工程として、画像データの入力信号を画像処理して得た画像処理信号を半導体ユニット２０へ送って準備しておく。
【００３８】
この画像形成装置では、ドナーマガジン１８に格納されているドナーロール１６の先端部を、一対の感光材料引き出しローラ２２で引き出して一対２組の露光ローラ２４、２６の間へ搬送する。
【００３９】
そして、一対の露光ローラ２４と、一対の露光ローラ２６との間の露光位置を搬送されているドナーの露光面上に、半導体ユニット２０のレーザー（ＬＤ）光源を用いて３色同時露光処理を行う。この露光処理によりドナー中のハロゲン化銀が光に反応し、潜像が形成される。
【００４０】
このように潜像が形成されたドナーは、ロール状に巻装されたドナーロール１６から所定長さ引き出されたときに、カッター２８で切断することにより、例えば比較的大きなサイズのプリントであるＡ３Ｗサイズ又はＡ３サイズに対応した大形の感光材料であるドナー片に切り出されて搬送路上を、ガイド部材１９によって案内されながら搬送方向下流側に配置された水塗布工程へ送られる。
【００４１】
この水塗布工程では、例えばＡ３Ｗサイズ又はＡ３サイズに対応したドナー片を液体塗布入口ローラ３２が受け取って液体塗布装置３４内へ送り込み、液体塗布装置３４によって水をドナー片の面上へ塗布してからスクイズローラ３６へ搬入し、ドナー片の面上に残っている余分な水を絞り落とすことにより、ドナー片の面上に水が所定少量かつ均一に塗布された状態にして、搬送方向下流側の熱現像、及び色像転写工程へと送る。
【００４２】
また、この画像形成装置では、上述の動作と同時に、受像紙マガジン１４に格納されている受像紙ロール１２（ＯＨＰフィルムのロール等でも良い）の先端部を、一対の受像紙引き出しローラ３８で所定長さ引き出してカッター４０で切断することにより、比較的大きなサイズのプリントである例えばＡ３Ｗサイズ又はＡ３サイズに対応した受像紙片に切り出して搬送路上を、ガイド部材１９に案内され搬送方向下流側に配置した受像紙待機ローラ４２へ送り、その搬送方向下流側に隣接した熱現像、及び色像転写工程へと送り込むタイミングを図るよう待機する。
【００４３】
そして、熱現像、及び色像転写工程では、受像紙待機ローラ４２で待機している受像紙片（ＯＨＰフィルム等でも良い）と、水を塗布したドナー片とを、位置合わせをして、熱現像、及び色像転写処理用のベルト搬送装置を備えた熱現像転写処理部４５における入口から搬入する。
【００４４】
この熱現像転写処理部４５では、入口ローラ４４で受像紙片と水を塗布したドナー片とを重ねて圧着することにより貼り合わせ、この状態で図示しない加熱装置で加熱する。これにより、ドナー片側で現像が進行するとともに、ドナー片の色素が受像紙片へ移り、定着されて、ドナー片の画像が受像紙片へと転写される。この熱現像転写処理部４５での転写作業が完了した後、貼り合わされたドナー片と、受像紙片とは、出口ローラ４６から剥離工程へ送られる。
【００４５】
この剥離工程では、出口ローラ４６から出てきた貼り合わされた状態の使用済みドナー片と、画像が転写された受像紙片とを、剥離部材である剥離爪４８によって剥離する。
【００４６】
剥離工程で剥離された受像紙片は、高画質なカラープリントとして完成され、搬送路上をガイド部材１９に案内されると共に、１個の搬送専用のローラ３０によって、搬送方向下流側に配置した排出ローラ５０へ送り、この排出ローラ５０から装置本体１０の外部に配置した排出トレイ５６（図８に図示）上へ排出して、使用者の利用に供する。
【００４７】
なお、この排出トレイ５６上への排出動作時には、図８に示すように、カッターユニット６０が待機状態の位置にあって搬送路の出口から離脱している。よって、搬送路の出口にある排出ローラ５０から排出された比較的大きなサイズの写真プリントは、何の妨げも無く、適切に排出トレイ５６上へ排出される。
【００４８】
また、剥離工程で剥離された使用済みドナー片は、搬送路上をガイド部材１９に案内され搬送方向下流側に配置した廃棄部５２へ送り、その巻装ロール５４へ巻き取らせて廃棄を待つ状態とする。
【００４９】
また、この画像形成装置本体１０では、比較的小さなサイズとして設定した例えばＬサイズ、デジタルスチルカメラの画像データのアスペクト比に対応したＤＳＣサイズの写真プリントを作成する場合には、画像形成装置本体１０の内部に装着した、ドナー片と受像紙片とをそれぞれ搬送するローラ搬送装置で搬送可能な比較的大きな例えばＡ３サイズ以上の大きさを持つ所定サイズ（Ａ３サイズ以上の大きさであれば、必要に応じて種々の大きさに設定して使用することができる。）の一枚のシート体であるドナー片と受像紙片とを利用して、比較的小さなサイズである例えばＬサイズ、又はデジタルスチルカメラの画像データのアスペクト比に対応したＤＳＣサイズ（装置の設定によっては、Ａ４、Ａ４Ｗ、４つ切りサイズ、６つ切りサイズ、２Ｌサイズ、はがきサイズ等であっても良い）等の画像を複数形成した１枚の受像紙片（シート）を画像形成装置本体（画像形成部）１０の出力部から出力する。
【００５０】
そして、この画像形成装置本体１０では、その出力部にセットされているカッターユニット６０が、比較的大きな例えばＡ３サイズ以上の大きさを持つ一枚のシートである受像紙片上に比較的小さなサイズである例えばＬサイズ、又はデジタルスチルカメラの画像データのアスペクト比に対応したＤＳＣサイズ（装置の設定によっては、Ａ４、Ａ４Ｗ、４つ切りサイズ、６つ切りサイズ、２Ｌサイズ、はがきサイズ等であっても良い）等の画像を複数形成したものを受け取り、これをカッターユニット６０が各小さなサイズである例えばＬサイズ、又はデジタルスチルカメラの画像データのアスペクト比に対応したＤＳＣサイズ（装置の設定によっては、Ａ４、Ａ４Ｗ、４つ切りサイズ、６つ切りサイズ、２Ｌサイズ、はがきサイズ等であっても良い）等の画像部分に分割するよう切断して、比較的小さな各所定サイズの写真プリントを同時に複数枚作る処理を実行する。
【００５１】
次に、この画像形成装置本体１０で比較的小さなサイズのプリントである、例えばＬサイズの写真プリントを作成する場合について説明する。
【００５２】
この場合には、カッタ装置としてのカッターユニット（カッター部）６０を使用するので、カッターユニット６０は、図１に示す使用状態にセットした状態で処理を実行する。
【００５３】
この画像形成装置本体１０でＬサイズの写真プリントを作成する場合には、上述した、比較的大きなサイズのプリントである例えばＡ３Ｗサイズ又はＡ３サイズの写真プリントの１枚毎に画像を形成する処理を実行するときと同様に、ローラ搬送装置で搬送しながら各処理を実行する。
【００５４】
この画像形成装置本体１０でＬサイズの写真プリントを作成する場合には、その露光処理工程で、複数の画像データの入力信号を、それぞれ画像処理して得た、複数のＬサイズの写真プリントの画像処理信号と、カット位置基準のマーキング用の画像処理信号とを半導体ユニット２０へ送る。
【００５５】
この半導体ユニット２０では、ドナーロール１６から、例えば、この画像形成装置本体１０で処理可能な最短長さ以上の長さを持つ所定長さ分（ここでは比較的大きなＡ３サイズ以上の一枚の大きさ）だけ引き出されてカッター２８で切断されたドナー片の露光面上に、レーザー（ＬＤ）光源を用いて３色同時露光処理を行ってドナー片中のハロゲン化銀を光に反応させ、複数のＬサイズの画像を搬送方向に沿って並べた潜像と、これら潜像の搬送方向上流側であるヘッダ部分における中央部所定位置にカット位置基準のマーキング用として所定幅（例えば２ｍｍ）の太い黒色線分状の潜像とを、図４及び図５に例示する所定のフォーマットで形成する。
【００５６】
この図４及び図５に例示するフォーマットは、例えば、所定サイズの受像紙片６６上に搬送方向に沿って並んだ複数（本実施の形態では４個）のＬサイズの画像６２を無駄なく効率良く配置するよう設定する。
【００５７】
このため図４及び図５に例示するフォーマットでは、所定サイズの受像紙片６６の搬送方向上流側に設定するヘッダ部分１０４に露光形成されるカット位置基準のマーキング６４の幅を２ｍｍとし、受像紙片６６の搬送方向上流側に当たるＬサイズの画像６２の最先端辺であるカット位置Ｃを、マーキング６４から３．０ｍｍの距離を置いた位置とし、それぞれ二つのＬサイズの画像６２間にある切り代部分１０８の搬送方向の長さを６ｍｍとし、搬送方向下流側に当たるＬサイズの画像６２の最後端辺に対する切り代部分の長さを３．０ｍｍに設定する（なお、搬送方向下流側のフッタ部分は、Ｌサイズの画像６２の最後端辺に対する切り代部分の長さ３．０ｍｍの部分を含む所定長さとされている）。
【００５８】
このように切り代部分１０８におけるシートの搬送方向の長さを６ｍｍとした場合には、受像紙片６６を無駄なく使いリーズナブルな複数のＬサイズの画像６２を形成したプリントを得ることができる。
【００５９】
次に、半導体ユニット２０で、複数のＬサイズの画像を搬送方向に沿って並べた潜像と、これら潜像の搬送方向上流側であるヘッダ部分にカット位置基準のマーキング用の太い黒色線分状の潜像とを、図４及び図５に例示する所定のフォーマットで形成する露光処理を終えた所定サイズのドナー片は、水塗布工程へ送られる。
【００６０】
この水塗布工程では、液体塗布装置３４により水を所定少量かつ均一に、ドナー片の面上へ塗布し、次の熱現像、及び色像転写工程へと送る。
【００６１】
この熱現像、及び色像転写工程では、所定幅のロール状に巻装された受像紙ロール１２から例えば、この画像形成装置本体１０で処理可能な最短長さ以上である所定長さ分（ここでは比較的大きなＡ３サイズ以上の一枚の大きさ）だけ引き出してカッター４０で切断して用意した所定サイズの受像紙片（ＯＨＰフィルム等でも良い）に、水を塗布したドナー片を重ねて貼り合わせ、この状態で熱現像転写処理部４５の加熱装置で加熱する。
【００６２】
これにより、ドナー片側で現像が進行するとともに、ドナー片の色素は受像紙片へ移り、定着されて、ドナー片の画像が受像紙片へ転写される。この転写作業が完了した後、貼り合わされたドナー片と、受像紙片とは、剥離工程へ送られる。
【００６３】
この剥離工程では、使用済みドナー片と、搬送方向に沿って並んだ複数のＬサイズの画像、及びカット位置基準のマーキングの画像が転写された所定幅と所定長さの受像紙片とが剥離され、ドナー片は破棄され、図４に例示するような搬送方向に沿って並んだ複数（本実施の形態では４個）のＬサイズの画像６２、及びカット位置基準のマーキング６４の画像が転写された所定幅で所定長さの受像紙片６６（高画質なカラープリントに処理されたもの）を、画像形成装置本体１０出力部から送り出して、カッターユニット（カッター部）６０のカッター装置部６８内へ受け渡す。
【００６４】
このカッターユニット６０は、比較的小さなサイズのプリントである、例えばＡ３サイズ未満のサイズであるＬサイズ、デジタルスチルカメラの画像データのアスペクト比に対応したＤＳＣサイズ（装置の設定によっては、Ａ４、Ａ４Ｗ、４つ切りサイズ、６つ切りサイズ、２Ｌサイズ、はがきサイズ等であっても良い）等の、画像形成装置本体１０におけるローラ搬送装置で搬送不可能な比較的小さな各サイズの写真プリント等を切り出せるように構成する。
【００６５】
図１に示すように、カッタ装置としてのカッターユニット６０は、画像形成装置本体１０に別の機能として、例えば図４に示すような搬送方向に沿って並んだ複数のＬサイズの画像６２、及びカット位置基準のマーキング６４の画像が転写された所定幅所定長さの受像紙片６６を、図５に示すように、４枚のＬサイズの画像６２を形成した写真プリントに切り出す機能を付加するユニットとして構成する。
【００６６】
またカッターユニット６０は、カッター装置部６８を取付支受部７０に使用状態と待機状態とに移動操作可能に装着し、この取付支受部７０を画像形成装置本体１０の出力部にねじ部品で締結することによって着脱可能に取り付けられるよう構成する。
【００６７】
この取付支受部７０は、図示しないが、ねじ部品によって画像形成装置本体１０出力部の壁面所定位置に締結して配置する。この取付支受部７０には、カッター装置部６８の下端部を軸部材で軸着して、図１に示す使用状態の位置と図８に示す待機状態の位置との間を回動可能に軸着する。
【００６８】
さらに、取付支受部７０とカッター装置部６８との間には、図示しないロック機構を装着し、カッター装置部６８を図１に示す使用状態の位置と図８に示す待機状態の位置とにそれぞれ選択的に保持可能に構成する。
【００６９】
このカッター装置部６８は、図１に示す使用状態の位置に配置されて、画像形成装置本体１０の出力部から排出された被切断物としての１枚のシート体である図４に例示するような搬送方向に沿って並んだ複数のＬサイズの画像６２、及びカット位置基準のマーキング６４の画像が転写された所定幅所定長さの受像紙片６６を、その全長に渡って搬送路上に搬入してから、切断する作業を行うよう構成する。
【００７０】
このためカッター装置部６８内の搬送路７４は、所定幅所定長さの受像紙片６６の全体を搬入できる長さを持つよう構成する
このカッター装置部６８内の搬送路７４は、その入口から出口に渡って６対の搬送ローラ７６Ａ、７６Ｂ、７６Ｃ、７６Ｄ、７６Ｅ、７６Ｆを順に各所定位置に配置して、被切断物である受像紙片６６を入口から出口に向けて搬送可能に構成する。
【００７１】
図２に示すように、少なくとも４対の搬送ローラ７６Ａ、７６Ｂ、７６Ｃ、７６Ｄは、各々独立して設けられたパルスモータ７５Ａ、７５Ｂ、７５Ｃ、７５Ｄで回転駆動されるように構成する。さらに、各パルスモータ７５Ａ、７５Ｂ、７５Ｃ、７５Ｄは、それぞれ制御部７７によって独立して駆動制御されるように構成する。
【００７２】
また、この制御部７７には、各パルスモータ７５Ａ、７５Ｂ、７５Ｃ、７５Ｄ近くの雰囲気の温度を検出するよう設置した温度センサ７９が接続されている。さらに、この制御部７７は、各パルスモータ７５Ａ、７５Ｂ、７５Ｃ、７５Ｄの搬送分解能を算出してパルス送り量を修正するため、それぞれのパルス数を検出するパルス検出手段を設ける。
【００７３】
これと共に制御部７７には、後述する搬送分解能を算出するための操作をした時点で、温度センサ７９で検出した温度と搬送分解能の値との関係を時系列で所定数だけ順次記憶するデータ記憶手段を設ける。
【００７４】
図１に示すように、カッター装置部６８内の搬送路７４上には、その出口側の搬送ローラ７６Ｃと搬送ローラ７６Ｄとの間における所定位置に、被切断物である受像紙片６６のスキューを検出するために、一対の機械式センサで構成したスキュー検出センサ７８を配置する。
【００７５】
この一対の機械式センサで構成したスキュー検出センサ７８は、受像紙片６６におけるシートの搬送側中心線に直交する線分上に、中心線に対して対象となる２箇所の所定位置に配置する。
【００７６】
このカッター装置部６８内の搬送路７４上には、その出口側の搬送ローラ７６Ｄ近傍における所定位置に、被切断物である受像紙片６６上に形成されたカット位置基準のマーキング６４を検知して制御部７７へ検知信号を送るための、光反射型マーキングセンサ８０を、搬送されてきた被切断物である受像紙片６６のカット位置基準のマーキング６４が必ず通過する所定位置に配置する。
【００７７】
また、カッター装置部６８内の搬送路７４上には、その出口側でマーキングセンサ８０より搬送方向下流側に当たる搬送ローラ７６Ｄと搬送ローラ７６Ｅとの間における所定位置に、被切断物である受像紙片６６を切断するためのサーキュラカッター８２を配置する。
【００７８】
このサーキュラカッター８２は、被切断物である受像紙片６６を切断するため通常使用する、いわゆるロータリーカッターを利用して構成することができる。このサーキュラカッター８２は、例えば、直線固定刃に被切断物である受像紙片６６の切断線を位置決めして沿わせ、回転刃を直線固定刃に沿って移動させる動作により、シート状の被切断物である受像紙片６６を切断するよう構成する。
【００７９】
このサーキュラカッター８２は、図示しないが、シートの搬送方向に略直交する方向に延びる一端部を軸部材で搬送路の基台に軸着し、他端部をチルト駆動モータで所要量駆動操作することにより、サーキュラカッター８２を軸部材の回りに所要角回動調整するチルト調整の動作を可能なように構成する。
【００８０】
すなわち、サーキュラカッター８２は、搬送路７４上を搬送されて来た受像紙片６６のスキュー状態に合わせるように、搬送方向に対して傾くように所要角回動調整するチルト補正処理を実行可能に構成する。
【００８１】
さらにサーキュラカッター８２は、制御手段である制御部７７が一対のスキュー検出センサ７８を利用して受像紙片６６のスキュー量を算出し、制御部７７がこれに対応するようにサーキュラカッター８２をチルト駆動制御するよう構成する。
【００８２】
さらに制御部７７は、マーキングセンサ８０でカット位置基準のマーキング６４の位置を検知し、この位置をスキュー検出センサ７８で検知した受像紙片６６のスキュー状態に合わせるように補正する画像位置補正処理をしてから、例えばＬサイズの画像６２に対応した切断位置まで受像紙片６６を搬送し、サーキュラカッター８２を駆動して切断する制御を実行する。
【００８３】
このカッター装置部６８の自由端部には、トレイ８４を使用状態から格納状態まで回動可能なように装着し、図１に示す使用状態にしたとき搬送路７４の出口から排出された受像紙片６６を切断して形成した写真プリントを受けて載置可能とし、カッター装置部６８の待機状態のときにトレイ８４が邪魔にならないように格納可能とする。
【００８４】
次に、カッターユニット６０のカッター装置部６８で、例えば画像形成装置本体１０で形成された図４に例示するシートとしての受像紙片６６を、その各カット位置Ｃの破線で示す切断線で切断して比較的小さなサイズであるＬサイズの画像６２を切り出す動作及び作用について説明する。
【００８５】
図１に示す使用状態にセットされているカッターユニット６０は、画像形成装置本体１０の出力部から複数のＬサイズの画像６２とカット位置基準のマーキング６４との画像が形成されたシートとしての受像紙片６６が搬送路７４上へ送り込まれると、制御部７７が各パルスモータ７５Ａ、７５Ｂ、７５Ｃ、７５Ｄを駆動制御することにより、搬送ローラ７６Ａ、７６Ｂ、７６Ｃ、７６Ｄ、７６Ｅ、７６Ｆを駆動してシートとしての受像紙片６６を搬送路７４上で搬送する。
【００８６】
この搬送動作により、シートとしての受像紙片６６の先端部が一対のスキュー検出センサ７８の位置に至ると、この一対のスキュー検出センサ７８は、それぞれ受像紙片６６の先端部を検出した検知信号を制御部７７へ伝送する。
【００８７】
この一対のスキュー検出センサ７８からの各検知信号を受けた制御部７７は、予め定められているチルト補正アルゴリズムにより、そのときのスキュー量に応じて算出したチルト補正量だけ図示しないチルト駆動モータを駆動することによりサーキュラカッター８２をチルト補正して待機する。
【００８８】
次に、シートとしての受像紙片６６が搬送路７４上を搬送ローラ７６Ａ、７６Ｂ、７６Ｃ、７６Ｄ、７６Ｅ、７６Ｆによって搬送され、そのカット位置基準のマーキング６４をマーキングセンサ８０が検出すると、マーキングセンサ８０は、カット位置基準のマーキング６４を検出した検知信号を制御部７７へ伝送する。
【００８９】
このマーキングセンサ８０からの検知信号を受けた制御部７７は、画像位置補正アルゴリズムによって算出した補正値に基づいて補正された各所定搬送量（各パルスモータ７５Ａ、７５Ｂ、７５Ｃ、７５Ｄをそれぞれ所定パルス数Ｐだけ駆動する送り量）搬送することにより、シートとしての受像紙片６６を各切断位置へ搬送する。
【００９０】
制御部７７は、上述のようにして被切断物であるシートとしての受像紙片６６が各所定搬送量搬送されて停止されると、図４に破線で示す各カット位置Ｃの切断線の位置がサーキュラカッター８２に一致する所へ停止された状態となるように設定されているので、サーキュラカッター８２を駆動して受像紙片６６を切断し、図５に示すように各Ｌサイズの画像６２部分を切り出す処理を行う。
【００９１】
このように切断された各Ｌサイズの画像６２部分の写真プリントは、搬送路７４上を搬送ローラ７６Ａ、７６Ｂ、７６Ｃ、７６Ｄ、７６Ｅ、７６Ｆで搬送されて順次カッター装置部６８の出口から外部のトレイ８４上へ排出され、蓄積される。
【００９２】
また、サーキュラカッター８２の切断処理作業で生じたシート屑は、屑箱１００内に収納される。なお、本実施の形態のカッターユニット（カッター部）６０は、画像形成装置本体（画像形成部）１０内部に設け、画像形成装置本体（画像形成部）１０とカッターユニット（カッター部）６０とが一体の装置となるように構成しても良い。
【００９３】
次に、本実施の形態に係るカッタ装置であるカッター装置部６８における、受像紙片６６を各切断位置へ搬送するときの所定搬送量を調整して、各所定切断位置で正確に切断可能とする調整手段について説明する。
【００９４】
画像形成装置１０に用いるカッター装置部６８は、それが設置されている環境の変化の影響を直接受ける。このようなカッター装置部６８では、例えば搬送ローラ７６Ａ、７６Ｂ、７６Ｃ、７６Ｄとしてゴム製のローラを使用した場合に周囲の温度変化によりゴムローラが収縮又は膨張することに起因してパルスモータ７５Ａ、７５Ｂ、７５Ｃ、７５Ｄで回転駆動される各搬送ローラ７６Ａ、７６Ｂ、７６Ｃ、７６Ｄの各搬送分解能が変動し、受像紙片６６を所定切断位置に搬送するときの搬送量が変化して切断位置に誤差を生じる場合がある。そこで、調整手段により、このような切断位置の誤差を修正する操作を行う。
【００９５】
この調整手段では、カッター装置部６８を設置した環境で使用する際に、具体的に搬送分解能を算出し、その算出値に基づいて制御部７７がパルスモータ７５Ａ、７５Ｂ、７５Ｃ、７５Ｄを駆動制御するときの送りパルス数Ｐを所定搬送距離に合わせるように変更調整する（例えば、受像紙片６６を適正な所定切断位置に搬送するときの搬送距離を、搬送分解能（Ｌ／Ｐ）の算出値で除算（割り算）することにより、制御部７７がパルスモータ７５Ａ、７５Ｂ、７５Ｃ、７５Ｄを駆動制御するときの適正送りパルス数Ｐを求め、制御部７７がパルスモータ７５Ａ、７５Ｂ、７５Ｃ、７５Ｄを適正送りパルス数Ｐだけ駆動制御することにより、受像紙片６６を適正な所定切断位置まで搬送する）。
【００９６】
これによって、カッター装置部６８では、搬送ローラ７６Ａ、７６Ｂ、７６Ｃ、７６Ｄが実際に受像紙片６６を各切断位置へ搬送する長さが適正距離に調整されるから、受像紙片６６を適正な各切断位置で切断可能となる。
【００９７】
この調整手段では、搬送分解能を算出するため、シート体の一種としての図３に示すような搬送分解能計測用チャート（搬送量キャリブレーションチャート）６６Ａを利用する。この搬送分解能計測用チャート６６Ａは、所定長さに形成した帯状の感光材料に、所定間隔Ｌを置いて２つのカット位置基準のマーキング６４を形成したものである。
【００９８】
この搬送分解能計測用チャート６６Ａは、受像紙片６６の上に２つのカット位置基準のマーキング６４を、画像形成装置１０における半導体ユニット２０により露光して熱現像転写処理することにより形成したものであっても良いし、又は所要のシートに予め２つのカット位置基準のマーキング６４を形成したもの（例えば、熱膨張の少ない材料で構成したシート状のものに、所定間隔Ｌを開けて２つのカット位置基準のマーキング６４を印刷等の手段で形成したもの）であっても良い。
【００９９】
次に、この画像形成装置１０において、搬送分解能計測用チャート６６Ａを利用して搬送分解能を計測し、この計測値に基づいて調整手段により切断位置の誤差を修正する方法、作用及び動作について説明する。
【０１００】
この画像形成装置１０では、これが設置されている環境が、カッター装置部６８で受像紙片６６を切断する所定切断位置に見逃せない誤差を生じさせる程変化した時又はその他必要に応じて所要の時（画像形成装置１０の毎日の始動時等）に、切断位置の修正作業を行う。
【０１０１】
この切断位置の修正作業では、画像形成装置１０において、制御部が半導体ユニット２０へ制御信号を送り、所定サイズに切断された受像紙片上に所定間隔Ｌを開けて２つのカット位置基準のマーキング６４を露光し、前述した熱現像転写方式の処理でドナー片上に転写して図３に示すような２つのカット位置基準のマーキング６４が形成された搬送分解能計測用チャート６６Ａを作成し、カッター装置部６８へ搬入する。
【０１０２】
なお、予め用意された、所要のシートに２つのカット位置基準のマーキング６４が形成されているテスト専用の搬送分解能計測用チャート６６Ａを、カッター装置部６８へ搬入させるように操作しても良い。
【０１０３】
このようにカッター装置部６８内へ搬入された搬送分解能計測用チャート６６Ａは、その搬送路７４上を搬送されて、光反射型マーキングセンサ８０の位置を、搬送分解能計測用チャート６６Ａの搬送方向上流側にあるカット位置基準のマーキング６４と、搬送方向下流側にあるカット位置基準のマーキング６４とが順次通過する。
【０１０４】
このとき図３に示すように光反射型マーキングセンサ８０は、搬送方向上流側にあるカット位置基準のマーキング６４を検出したときの検出信号と、搬送方向下流側にあるカット位置基準のマーキング６４を検出したときの検出信号とを制御部７７へ送信する。
【０１０５】
すると制御部７７は、そのパルス検出手段によっても搬送方向上流側カット位置基準のマーキング６４の検出信号受信から搬送方向下流側カット位置基準のマーキング６４の検出信号受信までの間の、各パルスモータ７５Ａ、７５Ｂ、７５Ｃ、７５Ｄの送りパルス数Ｐを検出する。さらに、所定間隔Ｌを送りパルス数Ｐで除算（割り算）して搬送分解能（Ｌ／Ｐ）の値を算出する。
【０１０６】
そして、制御部７７は、画像形成装置１０の置かれる環境の変化により変動する搬送分解能（Ｌ／Ｐ）の修正値を利用して、各パルスモータ７５Ａ、７５Ｂ、７５Ｃ、７５Ｄを駆動制御することにより、搬送ローラ７６Ａ、７６Ｂ、７６Ｃ、７６Ｄ、７６Ｅ、７６Ｆによる受像紙片６６の送り量を適正量に修正して受像紙片６６を各切断位置まで正確に搬送し受像紙片６６の各カット位置Ｃで高い位置精度で切断することができる。
【０１０７】
よって、例えば図４に例示する受像紙片６６では、搬送ローラ７６Ａ、７６Ｂ、７６Ｃ、７６Ｄ、７６Ｅ、７６Ｆで受像紙片６６を搬送し、各カット位置Ｃの位置で位置決めするときの誤差を考慮して受像紙片６６におけるカット位置Ｃを図４に想像線で示すように大きな余裕を持って設定しなければならなかったものを、図４に点線で示すカット位置Ｃのように半分の幅程度まで縮めて小さく設定できる。
【０１０８】
このため、受像紙片６６上に形成される例えばＬサイズの画像６２の周囲をカット位置Ｃから切り落とすことによりＬサイズの画像６２に生じる、いわゆる画像ケラレ（カット位置Ｃの誤差があっても周囲に画像が形成されていない余白部分が残ることを防止するため用意された切除される部分）を小さくした画像レイアウトをとり、受像紙片６６の搬送方向の長さを短縮することができる。このように画像形成装置１０の置かれる環境の変化により搬送分解能（Ｌ／Ｐ）が変動してもカット位置Ｃが正確になるよう修正することで、屑として切り落とされる部分の搬送方向の幅を狭くし、受像紙片６６の材料の無駄を削減できる。
【０１０９】
また、制御部７７は、上述のようにして搬送分解能（Ｌ／Ｐ）を算出したときに、同時に温度センサ７９によって搬送ローラ７６Ａ、７６Ｂ、７６Ｃ、７６Ｄ、７６Ｅ、７６Ｆの温度（便宜的にその周囲の雰囲気の温度でも良い）を検出し、制御部７７のデータ記憶手段に、図７に例示するように、搬送分解能（Ｌ／Ｐ）と、これを計測したときの搬送ローラ７６Ａ、７６Ｂ、７６Ｃ、７６Ｄ、７６Ｅ、７６Ｆの温度とを、一組にして記憶する。
【０１１０】
この制御部７７では、そのデータ記憶手段に、所定組み数の搬送分解能と搬送ローラ温度とのデータを記憶させ、所定組み数を超えて新たに搬送分解能と搬送ローラ温度とのデータが発生したときに最も古いデータと交換するため、その古いデータに、新たな搬送分解能と搬送ローラ温度とのデータを上書きする操作を行う。
【０１１１】
さらに、この制御部７７では、画像形成装置１０が置かれた環境に温度変化があったときに温度センサ７９で検出した温度が、データ記憶手段に記憶された図７に示す如きデータ中に残っている場合には、このときの搬送分解能（Ｌ／Ｐ）の修正値を読み出して利用することにより、修正操作のための手間と時間を削減するように構成しても良い。
【０１１２】
また、この制御部７７では、受像紙片６６の送り量を適正量に修正する作業の開始を促す手段を設けることができる。この送り量修正作業（いわゆるキャリブレーション）の開始を促す手段では、画像形成装置１０で所定サイズの受像紙片６６を利用してＬサイズの画像６２が形成された複数のカラープリントを作成し、カッター装置部６８でシート体である受像紙片６６を切断する動作をスタートする際に、制御部７７が温度センサ７９でスタート時の温度を検出し、この検出温度と、データ記憶手段に記憶されている直近に搬送分解能（Ｌ／Ｐ）を検出したときの温度センサ７９で検出した搬送ローラ温度とを比較して、これらの温度差が所定量以下のときはそのままカラープリントを作成する動作をスタートし、これらの温度差が所定量以上（例えば５℃以上）のときには、送り量修正作業の開始を促す警告（ワーニング）を出すように構成する。
【０１１３】
この送り量修正作業の開始を促す警告は、例えば、画像形成装置１０に設けた図示しないオペレーションパネル上に送り量修正作業（いわゆるキャリブレーション）をユーザが行うよう促す表示を行うものである。
【０１１４】
このように制御部７７が、送り量修正作業の開始を促す警告を行い、ユーザが送り量修正作業を行う場合には、設置された画像形成装置１０における環境の変化に自動的に対応して修正操作を行うことにより、受像紙片６６を高精度で所定のカット位置Ｃまで搬送して切断できるので、カット精度（画像カット寸法の精度）を向上できる。
【０１１５】
さらに、この制御部７７では、送り量修正作業（いわゆるキャリブレーション）の動作中に、光反射型マーキングセンサ８０が検出した搬送分解能計測用チャート６６Ａにおける搬送方向上流側のカット位置基準のマーキング６４と、搬送方向下流側のカット位置基準のマーキング６４との間の計測結果が、所定の上限値から下限値までの範囲（適正範囲として設定された範囲である設計値の範囲）を逸脱する場合に、エラー処理を実行する手段を設けても良い。
【０１１６】
この送り量修正作業に対するエラー処理の手段では、例えば、画像形成装置１０に設けた図示しないオペレーションパネル上にエラー発生の表示をして、送り量修正作業（いわゆるキャリブレーション）の動作を停止させる。これにより、画像形成装置１０は、光反射型マーキングセンサ８０による所定間隔Ｌ（２つのカット位置基準のマーキング６４間隔）の計測ミス（センサトラブル）又は搬送分解能計測用チャート６６Ａの搬送系トラブルを事前に回避することができる。
【０１１７】
次に、本実施の形態に係るカッタ装置であるカッター装置部６８における、受像紙片６６を各切断位置へ搬送するときに、調整手段で調整する具体的な搬送量について、図６により説明する。
【０１１８】
この画像形成装置１０のカッター装置部６８で受像紙片６６を所定のカット位置Ｃで切断する作業を行った場合（調整手段を使用していない場合）には、カッター装置部６８が置かれた環境が低温（ここでは１５℃）、常温（ここでは、約２３℃）から高温（ここでは、約３０℃）と変化したときのカット位置Ｃに対するばらつき量と、温度との関係が図６に示すようになる。
【０１１９】
この図６では、常温でカット位置Ｃに対するばらつき量の上限値と下限値との中間値（上限値と下限値との間の半分の値）を基準値（ばらつき量０．００）としてあらわしてある。この図６に示すように、常温でのカット位置Ｃに対するばらつき量は、中間値に対して±０．５０となり、低温でのカット位置Ｃに対するばらつき量は、中間値に対して±１．１２となり、高温でのカット位置Ｃに対するばらつき量は、中間値に対して±１．１４となる。
【０１２０】
また、この図６から分かるように、カッター装置部６８が置かれた環境が低温、常温から高温と変化するのに従い、ばらつき量の中間値が図の折れ線グラフのように変化する。すなわち、カッター装置部６８が置かれた環境が低温のときのばらつき量の中間値と、高温のときのばらつき量の中間値との間には、誤差が１．３６（約１．５ｍｍ）生じることになる。
【０１２１】
すなわち、送り量修正操作を行わない場合は、画像６２のそれぞれの上下の切り代を、低温時のばらつきを含む下限値（−１．５５ｍｍ）から高温時のばらつきを含む上限値（＋２．０７ｍｍ）を見越した量とする必要がある。（実施の形態の場合は余裕を見て画像６２のそれぞれの上下の切り代を３ｍｍとしている）
そこで、画像形成装置１０のカッター装置部６８では、その調整手段による送り量修正操作（いわゆるキャリブレーション）により、切断位置の中心値をゼロとなるように修正することで、カッター装置部６８が置かれた環境が低温、常温から高温と変化する際に生ずる中間値の誤差を吸収するので、同一環境でのばらつきだけを考慮すれば良いことになる。これにより、画像形成装置１０のカッター装置部６８では、その置かれた環境の温度変化に起因する誤差１．３６（約１．５ｍｍ）は生じないので、カット位置Ｃで切断する動作の精度を向上することができる。
【０１２２】
よって、受像紙片６６のレイアウトでは、理論的に言って、その各切り代部分１０８の搬送方向の長さを１．３６（約１．５ｍｍ）短くできるという効果が得られることが分かる。このような画像形成装置１０のカッター装置部６８では、複数の受像紙片６６を処理するときに切り落とされる切り代部分１０８が多数出るので、全体として受像紙片６６の材料を削減できる。
【図面の簡単な説明】
【０１２３】
【図１】本発明の実施の形態に係るカッタ装置を備えた画像形成装置を示す、概略全体構成図である。
【図２】本発明の実施の形態に係るカッタ装置の要部を示す、概略構成図である。
【図３】本発明の実施の形態に係るカッタ装置における動作の要部を示す、概略動作説明図である。
【図４】本発明の実施の形態に係るカッタ装置で切断する対象となる受像紙片に複数の画像を設けるために設定されるフォーマットを示す平面図である。
【図５】本発明の実施の形態に係るカッタ装置で切断する対象となる受像紙片を、複数のＬサイズの画像部分と切り代部分等に切断した状態を示す平面図である。
【図６】本発明の実施の形態に係るカッタ装置で切断する対象となる受像紙片を、各切断位置へ搬送するときに、調整手段で調整する具体的な搬送量を説明するための説明図である。
【図７】本発明の実施の形態に係るカッタ装置におけるデータ記憶手段で記憶する内容を例示する説明図である。
【図８】本発明の実施の形態に係るカッタ装置が画像形成装置本体に対して待機状態にして取り付けられている部分を示す要部斜視図である。
【図９】従来のレーザー露光熱現像転写方式（銀塩写真方式）の画像形成装置の構成を示す概略斜視図である。
【符号の説明】
【０１２４】
１０      画像形成装置
１２      受像紙ロール
１６      ドナーロール
６０      カッターユニット
６２      画像
６４      カット位置基準のマーキング
６６      受像紙片
６６Ａ      搬送分解能計測用チャート
６８      カッター装置部
７４      搬送路
７５Ａ、７５Ｂ、７５Ｃ、７５Ｄ      パルスモータ
７６Ａ、７６Ｂ、７６Ｃ、７６Ｄ、７６Ｅ、７６Ｆ      搬送ローラ
７７      制御部
７９      温度センサ
８０      光反射型マーキングセンサ
８２      サーキュラカッター
【図１】
2005103699.tif 000003
【図２】
2005103699.tif 000004
【図３】
2005103699.tif 000005
【図４】
2005103699.tif 000006
【図５】
2005103699.tif 000007
【図６】
2005103699.tif 000008
【図７】
2005103699.tif 000009
【図８】
2005103699.tif 000010
【図９】
2005103699.tif 000011